(57)【要約】      （修正有）【課題】打面への打撃を精度よく検出することができる打楽器パッド及びその製造方法を提供する。【解決手段】打楽器パッド１は、表面に打面を有するパッド層２、このパッド層２を裏面側から保持する保持層３、及び打面への打撃を感知するセンサー４を備え、センサー４が、パッド層２内に配設されている。パッド層２が保持層３表面に積層されているとよい。センサー４がパッド層２の凹部に格納され、パッド層２が、前記凹部に格納された前記センサー４と共に、前記保持層３表面に接合されるとよい。また、打楽器パッド１の製造方法は、パッド層２、保持層３及びセンサー４を備える打楽器パッド１の製造方法であって、保持層３の一方の面側にセンサー４を配設した状態で、この保持層３の一方の面側からパッド層２形成材料を供給する工程を有する。【選択図】図１
2015040899.tif 000002
【特許請求の範囲】
【請求項１】
表面に打面を有するパッド層、このパッド層を裏面側から保持する保持層、及び前記打面への打撃を感知するセンサーを備える打楽器パッドであって、
前記センサーが、前記パッド層内に配設されていることを特徴とする打楽器パッド。
【請求項２】
前記パッド層が、前記保持層表面に直接積層されている請求項１に記載の打楽器パッド。
【請求項３】
前記センサーが前記パッド層の凹部に格納され、
前記パッド層が、前記凹部に格納された前記センサーと共に、前記保持層表面に接合される請求項２に記載の打楽器パッド。
【請求項４】
前記パッド層が発泡ポリウレタンから構成される請求項２又は請求項３に記載の打楽器パッド。
【請求項５】
前記センサーと前記打面との間には、前記パッド層の平均の厚さよりも薄いパッド層を備える請求項１から請求項４のいずれか１項に記載の打楽器パッド。
【請求項６】
表面に打面を有するパッド層、このパッド層を裏面側から保持する保持層、及び前記打面への打撃を感知するセンサーを備える打楽器パッドの製造方法であって、
前記保持層の一方の面側に前記センサーを配設した状態で、この保持層の一方の面側からパッド層形成材料を供給する工程
を有することを特徴とする打楽器パッドの製造方法。
【発明の詳細な説明】
【技術分野】
【０００１】
この発明は、打楽器パッド及び打楽器パッドの製造方法に関する。
【背景技術】
【０００２】
打楽器パッドとしては、打面への打撃をセンサーによって感知し、自然打楽器の音に似た電子音を発生する電子打楽器に用いられるドラムパッドが公知である。このようなドラムパッドとしては、表面に打面を有するパッド層、このパッド層が接着剤層を介して表面側に接着される金属製の保持層、及びこの保持層の裏面側に配設されるセンサーを備えるものが公知である（例えば特開２００３−２９５８６４号公報及び特開２０１０−２６２１６７号公報参照）。このドラムパッドにあっては、パッド層の打面を打撃すると、パッド層が振動し、その振動が保持層を介してセンサーに伝わり、この振動をセンサーが感知し、そしてセンサーから発信される打撃検出信号に基づいて電子音が発生される。
【０００３】
しかし、前記従来のドラムパッドにあっては、センサーが金属製の保持層の裏面側に配設されているので、センサーが検出する振動は接着剤層を介した保持層の振動であり、パッド層の振動を直接検出することができない。また、前述のように保持層の裏面側に配設されているセンサーでは、打面における打撃位置を特定することは極めて困難である。
【先行技術文献】
【特許文献】
【０００４】
【特許文献１】特開２００３−２９５８６４号公報
【特許文献２】特開２０１０−２６２１６７号公報
【発明の概要】
【発明が解決しようとする課題】
【０００５】
本発明は、このような事情に基づいてなされたものであり、本発明の課題は、打面への打撃を精度よく検出することができる打楽器パッド及びその製造方法を提供することにある。
【課題を解決するための手段】
【０００６】
前記課題を解決すべくなされた本発明に係る打楽器パッドは、
表面に打面を有するパッド層、このパッド層を裏面側から保持する保持層、及び前記打面への打撃を感知するセンサーを備える打楽器パッドであって、
前記センサーが、前記パッド層内に配設されていることを特徴とする。
【０００７】
当該打楽器パッドは、センサーがパッド層内に配設されているので、パッド層の打面が打撃された際に、この打面への打撃をパッド層内のセンサーによって精度よく検出することができる。つまり、例えばセンサーとして圧電素子を用いた場合には、打面が打撃された際におけるパッド層の振動が直接センサーに伝わり、このパッド層の振動をセンサーが検出することができるため、打面への打撃をセンサーによって精度よく検出することができる。
【０００８】
前記パッド層が、前記保持層表面に直接積層されているとよい。これにより、パッド層と保持層との積層状態を得るために接着剤を必要とせず、製品コストの抑制が図られる。
【０００９】
さらに、前記センサーが前記パッド層の凹部に格納され、前記パッド層が、前記凹部に格納された前記センサーと共に、前記保持層表面に接合される構成を採用することが好ましい。これにより、パッド層内に容易かつ確実にセンサーを配設することができる。
【００１０】
前記パッド層は発泡ポリウレタンから構成するとよい。これにより、保持層表面にパッド層を積層するにあたって、発泡ポリウレタンの発泡圧を用いてパッド層と保持層との良好な接合状態を容易かつ確実に得ることができる。つまり、保持層表面において保持層形成材料（発泡ポリウレタン組成物）を発泡させつつ硬化することで、パッド層と保持層との良好な接合状態を容易かつ確実に得ることができる。また、このように発泡圧を用いて前記接合状態が得られるので、保持層が複雑な形状を有する場合であっても、容易かつ確実に良好な接合状態を得ることができ、加えてパッド層内にセンサーを容易かつ確実に配設することができる。
【００１１】
当該打楽器パッドは、前記センサーと前記打面との間には、前記パッド層の平均の厚さよりも薄いパッド層を備えるとよい。このようにセンサーと打面との間に薄いパッド層が配設されるので、打面への打撃が前述の薄いパッド層を介して的確にセンサーに伝達される。
【００１２】
本発明に係る打楽器パッドの製造方法は、
表面に打面を有するパッド層、このパッド層を裏面側から保持する保持層、及び前記打面への打撃を感知するセンサーを備える打楽器パッドの製造方法であって、
前記保持層の一方の面側に前記センサーを配設した状態で、この保持層の一方の面側からパッド層形成材料を供給する工程
を有することを特徴とする。
【００１３】
当該打楽器パッドの製造方法によれば、パッド層内にセンサーが配設された当該打楽器パッドを製造することができ、当該打楽器パッドは、打撃をセンサーによって精度よく検出することができる。
【発明の効果】
【００１４】
以上説明したように、本発明に係る打楽器パッドは、打面への打撃を精度よく検出することができる。
【図面の簡単な説明】
【００１５】
【図１】本発明の一実施形態に係るドラムパッドの概略的断面図である。
【図２】図１のドラムパッドの製造方法の工程を説明する概略的断面図である。
【図３】図１とは異なるドラムパッドの概略的断面図である。
【図４】図１及び図３とは異なるドラムパッドにおけるセンサーの配設箇所を説明するための模式的平面図である。
【図５】図１、図３及び図４とは異なるドラムパッドにおけるセンサーの配設箇所を説明するための模式的平面図である。
【図６Ａ】図１、図３、図４及び図５とは異なるドラムパッドの概略的断面図である。
【図６Ｂ】図１、図３、図４、図５及び図６Ａとは異なるドラムパッドの概略的断面図である。
【図７】図１、図３、図４、図５及び図６とは異なるドラムパッドの概略的断面図である。
【発明を実施するための形態】
【００１６】
以下、本発明の実施形態について図面を参照しつつ説明するが、まず本発明に係る打楽器パッドとして、電子ドラムに用いられ、スティック等で打撃されるドラムパッドを例にとり説明する。なお、本発明に係る打楽器用パッドは、ドラムパッドに限定されるものではなく、その他の打撃入力装置にも適用可能である。
【００１７】
［ドラムパッド］
図１のドラムパッド１は、表面に打面２ａを有するパッド層２、このパッド層２を裏面側から保持する保持層３、及び前記打面２ａへの打撃を感知するセンサー４を備えている。このドラムパッド１は、例えば電子ドラムの１０〜１４インチのスネアやタムに用いられるものが想定され、具体的には直径が２００〜３００ｍｍで、厚みが１０〜３０ｍｍのものが挙げられる。また、当該ドラムパッド１は、前記パッド層２の周囲を囲む略円筒形のシェル（ドラム胴（図示省略））を備えてもよく、このシェルが表面側端部にリムを有してもよい。なお、ドラムパッド１のサイズや用途等は前記のものに限定されるものではない。
【００１８】
前記センサー４はパッド層２内に配設され、センサー４はパッド層２と共に保持層３の表面に接合されている。具体的には、センサー４はパッド層２の凹部に格納され、パッド層２内から露出しているセンサー４の１面が保持層３と結合され、前記１面の周囲にあるパッド層２の１面が保持層３と結合される。つまり、センサー４が存在しない領域において前記保持層３とパッド層２との間に他の層が存在しておらず、保持層３の表面にパッド層２が直接積層されている。また、センサー４は、前記１面となる裏面が保持層３表面に当接し、センサー４の周囲を覆うように、パッド層２が保持層３に当接する。すなわち、センサー４は、パッド層２内に配設され、センサー４の１面はパッド層２より露出をしていることになる。センサー４の打面２ａ側の表面と、前記表面と垂直なセンサー４の周囲をパッド層２が覆っていれば、センサー４はパッド層２内に存在すると考えられる。この場合、センサー４と打面２ａとの間には、パッド層２の平均の厚さよりも薄いパッド層が存在することになる。なお、センサー４は、本実施形態においては、平面視で前記保持層３の中心に配置されている。
【００１９】
前記センサー４は、打面２ａへの打撃を検知し、打撃検出信号を信号出力線（図示省略）から電子音源（図示省略）に出力するものである。なお、この信号出力線は、保持層３に形成した貫通孔から外部に表出させることも、パッド層２の側方から表出させることも適宜設計変更可能である。
【００２０】
前記センサー４としては、前述のように打面２ａへの打撃を感知することができるものであれば特に限定されないが、例えば圧電素子や集音マイク、静電容量型センサーが用いられる。このようにセンサー４をパッド層２内に配設し、打面２ａとセンサー４の間に、パッド層２の平均の厚さよりも薄いパッド層（の部分）が存在することによって、打撃を高感度で検出でき且つ打撃によってセンサ４が破壊されないドラムパッドにすることができる。
【００２１】
前記保持層３は、本実施形態では平板状の円板から構成される。この保持層３の材質は特に限定されず、例えば鉄板、鋼板、亜鉛メッキ鋼板、アルミ板等の金属板から保持層３を構成することができる。また、保持層３の厚みも特に限定されるものではなく、保持層３の平均厚みとしては例えば０．５ｍｍ以上３ｍｍ以下とすることができる。
【００２２】
前記パッド層２は、例えば発泡ポリウレタンから構成されることが好ましい。前記パッド層２と保持層３とは、この発泡ポリウレタンの発泡圧によって接合される。具体的には、保持層３表面において発泡ポリウレタン組成物（パッド層形成材料）を発泡及び硬化させることで、パッド層２と保持層３との接合状態が得られている。なお、前記パッド層２の厚みは特に限定されるものではなく、パッド層２の平均厚みとしては、例えば５ｍｍ以上２０ｍｍ以下とすることができる。
【００２３】
前記発泡ポリウレタン組成物は、発泡ポリウレタンが形成できれば特に限定されず、公知の材料が使用される。具体的には、前記発泡ポリウレタン組成物としては、例えばポリオール、イソシアネート及び発泡剤を含む組成物が用いられる。なお、この発泡ポリウレタン組成物は、パッド層２の特性を阻害しない範囲で、必要に応じて、硬化剤、着色剤、光線安定剤、熱安定剤、酸化防止剤、防黴剤、難燃剤等の各種添加剤を含有していてもよい。
【００２４】
前記ポリオールは、イソシアネートとウレタン結合できるものであれば特に限定されず、例えばポリエーテルポリオール、ポリエステルポリオール、ポリカーボネートポリオール、ポリカプロラクトンポリオール等が挙げられる。
【００２５】
前記ポリオールの数平均分子量としては２００以上１００００以下が好ましい。前記数平均分子量が前記下限未満では、反応が速く進むため所望の成形が困難となるおそれがあり、またパッド層２の柔軟性が不十分となるおれそがある。一方、前記数平均分子量が前記上限を超えると発泡ポリウレタン組成物の粘度が高くなりすぎて成形が困難となるおそれがある。
【００２６】
前記イソシアネートは、ポリオールとウレタン結合できるものであれば特に限定されず、例えばトリレンジイソシアネート、ジフェニルメタンジイソシアネート、ヘキサメチレンジイソシアネート等が挙げられる。
【００２７】
前記発泡剤は、パッド層２の成形時に発泡できるものであれば特に限定されず、例えば熱によって発泡する熱分解型発泡剤が挙げられる。この熱分解型発泡剤としては、例えばオキシベンゼンスルホニルヒドラジド（ＯＢＳＨ）、パラトルエンスルホニルヒドラジド等のビドラジド系や、アゾジカルボンアミド（ＡＤＣＡ）、アゾビスホルムアミド等のアゾ系等を用いることができる。この熱分解型発泡剤の分解温度は、パッド層２の成形の容易性等を考慮すると、１００℃以上２４０℃以下であることが好ましい。
【００２８】
このパッド層２（発泡ポリウレタン）の発泡倍率の下限としては、１．２倍が好ましく、１．５倍がより好ましい。なお、発泡倍率とは、液状のパッド層形成材料が大気圧下において発泡した場合に想定される発泡後の体積を、実際に成形されたパッド層の体積で割った値を意味する。一方、前記発泡倍率の上限としては、５．５倍が好ましく、２．５倍がより好ましい。前記発泡率が前記下限未満であると、発泡圧が小さ過ぎることでパッド層２と保持層３との接合強度が弱くなるおそれがある。逆に、前記発泡倍率が前記上限を超えると、成形型内での圧力が大きくなりすぎ、成形型が前記圧力に耐えられなくなり、パッド層２の成形ができなくなる。また、前記圧力に耐えられる成形型を製作するのには高いコストが必要となる。
【００２９】
また、前記パッド層２（発泡ポリウレタン）の空隙率の下限としては、３０％が好ましく、４０％がより好ましい。一方、前記空隙率の上限としては、８０％が好ましく、７０％がより好ましい。前記空隙率が前記下限未満であると、パッド層２が硬くなり過ぎることで好ましい打感が得られなくなるおそれがある。逆に、前記空隙率が前記上限を超えると、パッド層２が軟らかくなり過ぎることで打撃に対する強度が不足することになる。なお、「空隙率」は、（樹脂比重−見掛け密度）×１００によって測定できる。見掛け密度はＪＩＳ  Ｋ  ７２２２  発泡プラスチック及びゴム―見掛け密度の求め方にて算出することが可能である。
【００３０】
前記パッド層２の硬度（アスカー硬度Ｃ）の下限としては、１０が好ましく、３０がより好ましい。一方、前記硬度の上限としては、６０が好ましく、５０がより好ましい。前記硬度が前記下限未満であると、パッド層２が軟らかくなり過ぎ、好ましい打感が得られなくなるおそれがある。逆に、前記硬度が前記上限を超えると、パッド層２が硬くなり過ぎ、好ましい打感が得られなくなるおそれがある。なお、前記硬度は、ＪＩＳ  Ｋ  ７３１２  アスカーＣ硬度により測定される値である。
【００３１】
前記パッド層２と保持層３との剥離接着強さの下限としては、５Ｎ／２５ｍｍが好ましく、７Ｎ／２５ｍｍがより好ましい。前記剥離接着強さが前記下限未満であると、パッド層２と保持層３との接合状態が不十分であり、パッド層２と保持層３とが不用意に剥離するおそれがある。なお、前記剥離接着強さは、ＪＩＳ  Ｋ６８５４−１に準じて測定される値である。
【００３２】
［当該ドラムパッドの製造方法］
次に、当該ドラムパッド１の製造方法について説明する。
【００３３】
当該ドラムパッド１の製造方法は、
保持層３の一方の面側に前記センサー４を配設する工程、
前記センサー４が配設された保持層３の一方の面側からパッド層形成材料（発泡ポリウレタン組成物）を供給する工程、及び
前記パッド層２形成材料を発泡及び硬化する工程
を有する。
【００３４】
前記センサー配設工程では、図２に示すように、パッド層成形用の成形型５においてセンサー４を配設する。ここで、保持層３は、成形型５の一部を構成し、図示例では保持層３が成形型５の底面を構成しており、前記センサー４は保持層３の上面に載置される。なお、保持層３が成形型５の蓋となるよう配設することも可能であり、その場合には保持層３の下面にセンサー４を貼着等によって付設する。
【００３５】
前記パッド層２形成材料供給工程では、前記センサー４が配設された成形型５に液状のパッド層形成材料を供給する。
【００３６】
前記発泡硬化工程では、前述のように成形型５に供給されたパッド層形成材料は、例えば加熱等によって発泡するとともに、ポリオールとイソシアネートとの重合により硬化することで、パッド層２が成形される。この工程において、前記成形型５を気密にしておくことで発泡ポリウレタンの発泡圧によって保持層３とパッド層２とが接合される。
【００３７】
この発泡硬化工程において、前記成形型５内の圧力（発泡圧）は、１．２ｋｇｆ／ｃｍ２以上５．５ｋｇｆ／ｃｍ２以下が好ましい。前記圧力が前記下限未満であると、パッド層２と保持層３との十分な接合が得られなくなるおそれがある。逆に前記圧力が前記上限を超えると、前記圧力に耐え得る成形型を構成するためにコストを要し、製造コスト増を招くおそれがある。
【００３８】
［利点］
当該ドラムパッド１は、センサー４がパッド層２内に配設されているので、パッド層２の打面２ａが打撃された際に、その打撃をセンサー４によって精度よく検出することができる。具体的には、打面への打撃は、パッド層の平均の厚さよりも薄いパッド層２を介してセンサー４に伝達され、打撃をセンサー４によってより精度よく検出することができる。つまり、前述した従来のドラムパッドにあっては、センサーが検出する振動が接着剤層を介した保持層の振動であったが、当該ドラムパッド１にあっては、パッド層２の振動をパッド層２内のセンサー４によって直接検出することができ、このため打撃の種類や程度、さらには打撃位置を検出することも可能となり、打撃を精度よく検出することができる。また、金属からなる保持層３は、発泡ポリウレタンからなるパッド層２との密着強度が強いため、センサー４を保持層３の表面にセンサーを配設しても、保持層３とパッド層２は強固に固定される。
【００３９】
また、センサー４が保持層３の表面に配設され、パッド層２がセンサー４及び保持層３表面を覆うので、パッド層２内に容易かつ確実にセンサー４を配設することができる。しかも、前述のようにパッド層２は保持層３表面に直接積層されるので、パッド層２と保持層３との積層状態を得るために接着剤を必要とせず、製品コストの抑制が図られる。さらに、保持層３が発泡ポリウレタンから構成され、この発泡ポリウレタンの発泡圧を用いて前記積層状態を容易かつ確実に得ることができ、製造コストの抑制を図ることができる。
【００４０】
［その他の実施形態］
本実施形態は前記構成からなり、前述の利点を奏するものであったが、本発明は前記実施形態に限定されるものではなく、本発明の意図する範囲内において適宜設計変更可能である。
【００４１】
つまり、前記実施形態においては、ドラムパッドが一つのセンサーを備えるものについて説明したが、当該打楽器パッドは、図３に示すようにパッド層１２内に配設される複数のセンサー１４を備えることも可能である。この図３のドラムパッド１１は、複数のセンサー１４を備えているので、打面１２ａへの打撃をより精度よく検出することができ、また複数のセンサー１４によって打面１２ａへの打撃位置を特定することも可能となる。
【００４２】
また、当該打楽器パッドはパッド層外のセンサーをさらに備えることも適宜設計変更可能な事項である。つまり、例えば前記実施形態のようにパッド層内に一のセンサーを配設するとともに、保持層の裏面に他のセンサーを配設することも可能である。
【００４３】
さらに、当該打楽器パッドが、前述（例えば図３）のようにパッド層内に配設される複数のセンサーを備える場合、複数のセンサーが平面視で配設位置を異ならしめることが好ましく、これにより打撃位置の特定をより精度よく行うことができる。例えば図４に示すように複数のセンサー２４を平面視同心円状に配設することが可能である。なお、この図４のドラムパッド２１にあっては、平面視中心に位置するセンサー２４として感圧センサーを用いることで、この感圧センサーからの打撃検出信号に基づいて電子音を変更（ドラムのピッチに対応するような電子音に変更）するよう設けることも可能である。
【００４４】
また、図５に示すように複数のセンサー３４を平面視マトリックス状に配設することも可能である。この図５のドラムパッド３１にあっては、各センサー３４からの打撃検出信号に基づいて電子音の種類を異ならしめることも可能であり、つまり打面における叩く位置（打撃位置）を変えることによって異なる音色を出すよう設けることも可能である。
【００４５】
さらに、前記実施形態ではセンサーの裏面と保持層の表面とが当接状態であるものについて説明したが、本発明はこれに限定されるものではない。例えば、センサーと保持層との間に接着剤層を介在させ、この接着剤層によってセンサーを保持層表面に接着することも適宜設計変更可能な事項である。なお、前記接着剤層を構成する接着剤としては、例えばアクリル系粘着剤等を用いることができる。
【００４６】
また、図６に示すようにセンサー４４がパッド層４２の表裏方向中間部に配設、つまりセンサー４４の裏面と保持層４３の表面とが当接しておらず、センサー４４の裏面と保持層４３の表面との間にパッド層４２の一部が介在されているものも、本発明の意図する範囲内である。この場合、センサー４と打面との間にはパッド層２が存在することになる。また、保持層４３から突出した突出材４６Ａ，４６Ｂによってセンサー４４が支持されればよい。例えば、保持層４３から突出した金属や樹脂等の突出部４６Ａ，４６Ｂによってセンサー４４を打撃面に近づけることができ、感度向上を図ることができる。具体的には、図６Ａ、図６Ｂのようにすることができる。図６Ａの場合は、スペーサからなる突出材４６Ａを介してセンサー４４が保持層４３から離間している。図６Ｂでは、例えば板状又は棒状の突出材４６Ｂによって、センサー４４が中空に支持される。図６Ｂの場合は、センサー４４がパッド層４２の中で自由に変形できるので、打撃面に近づいていることと併せて、高い感度が期待できる。このようにセンサー４４をパッド層内に配設し、打面とセンサー４４の間に、パッド層４２の平均の厚さよりも薄いパッド層が存在することによって、打撃を高感度で検出でき且つ打撃によってセンサー４４が破壊されないドラムパッドにすることができる。
【００４７】
さらに、センサーの周囲の一部がパッド層から露出していてもよい。具体的には、例えばセンサーの周囲の一部がパッド層から露出し、センサーの打面に対する表面と裏面と露出していない周囲の面がパッド層で覆われた状態で、センサーをパッド層内に配設することもできる。また、センサーの裏面が保持層又はスペーサに固定されていてもよい。この場合、センサーはパッド層の外周部に配置されるが、センサーの一部が露出することで、センサーから配線を取り出しやすくなる。
【００４８】
さらに、前記パッド層は、単層構造からなるものに限られず、多層構造を有することも可能である。例えば、前述のようにセンサーがパッド層の表裏方向中間部に配設される場合、このセンサーを、パッド層の表面側の層を構成するゴムシートと、裏面側の層を構成するゴムシートとの間に挟んで前記ゴムシートを貼り合せることによって、多層構造を有するセンサーを内蔵するパッド層を得ることもでき、こちらは適宜設計変更可能である。
【００４９】
また、前記実施形態では、パッド層が発泡ポリウレタンから構成され、発泡ポリウレタンの発泡圧によってパッド層と保持層とが接合されているものについて説明したが、本発明はこれに限定されない。つまり、パッド層と保持層との間に接着剤層を介在させ、この接着剤層によってパッド層と保持層とを接合することも可能である。
【００５０】
さらに、前記パッド層が、例えばシリコーンゴム等から構成されるものも採用可能である。このシリコーンゴムとしては、シロキサン結合を有するシリコーンゴム、例えば発泡性のシリコーンＲＴＶゴム等を用いることができる。なお、このようにシリコーンゴムからパッド層を構成する場合にあっては、パッド層と保持層との十分な接合は図るために前述のようにパッド層と保持層との間に接着剤層を介在させることが好ましい。なお、前記接着剤層を構成する接着剤としては、例えばアクリル系粘着剤等を用いることができる。
【００５１】
また、当該打楽器パッドは、パッド層の打面に配設される表面材をさらに備えることも可能である。この表面材は例えばニット等の布帛等から構成することができる。このような表面材を備える打楽器パッドを製造するにあっては、前記実施形態のように成形型でパッド層形成材料を発泡及び硬化させる際に、成形型においてセンサーと対向するよう表面材を配設（図２における成形型５の上面に表面材を配設）しておくことが好ましい。これにより、打面に表面材が配設されたパッド層と、保持層とが、発泡ポリウレタンの発泡圧によって接合された当該打楽器パッドを製造することができる。
【００５２】
さらに、当該打楽器パッドにあっては、特許文献２のようにパッド層の裏面に不織布等からなる布状材を配設することも可能である。なお、このようにパッド層の裏面に布状材を配設する場合にあっては、布状材と保持層との間に接着剤層を介在させることが好ましい。なお、前記接着剤層を構成する接着剤としては、例えばアクリル系粘着剤等を用いることができる。
【００５３】
さらに、前記実施形態では保持層３が平板状の円板のものについて説明したが、本発明はこれに限定されず、図７に示すように保持層５３が複雑な形状を有することも可能である。この図７のドラムパッド５１にあっては、保持層５３は、センサー５４が配設される平面部位と、平面視中央部において表面側に膨出する非平面部位とを有している。そして、この保持層５３とパッド層５２とは、パッド層５２を構成する発泡ポリウレタンの発泡圧によって接合されている。このように保持層３が非平面部位を有することで、保持層５３自体の強度を向上させることができる。さらに、保持層３が非平面部位を有することで、パッド層５２と保持層５３との接触面積を十分に確保して両者を強固に接合することかできる。なお、前記非平面部位としては、表面側に突設される凸部（リブ）等を採用することも可能である。表面側にはノッチ状の凸部又は凹部があってもよい。それによって保持層の剛性を高めつつ、パッド層５２と保持層５３との接触面積を大きくすることができる。
【００５４】
また、保持層に固定されるセンサーと保持層との間に緩衝材を配設してもよい。保持層から打撃の反射や、保持層の振動がセンサーへ伝わらないようにすれば、打撃面側からの純粋な打撃を検出できる。緩衝材としては、防音効果、防振効果のある多孔質材やゴム材等が考えられる。
【００５５】
また、固定されるひとつのセンサーにおいて、電極を分割してもよい。具体的には例えば薄い一枚の板状からなるＰＶＤＦ等の圧電センサーや静電容量型センサーにおいて、片側に共通となる電極、もう片側に分割された電極を形成する。保持層に対し、分割された電極が備わる面を対向させて固定し、共通となる電極を打撃面側としてＧＮＤと接続する。それによって保持層、共通となる電極によって、ＰＤＶＦ等のセンシング部と分割された電極がシールドされることになり、打撃を検出する際のノイズを軽減することができる。この場合は保持層が金属からなり、保持層もＧＮＤへ接続されていることが好ましい。
【産業上の利用可能性】
【００５６】
以上説明したように、本発明に係る打楽器パッドは、打面への打撃を精度よく検出することができるので、例えば電子ドラム等の電子楽器に好適に用いることができる。
【符号の説明】
【００５７】
１、１１、２１、３１、４１、５１  ドラムパッド（打楽器パッド）
２、１２、４２、５２  パッド層
２ａ、１２ａ  打面
３、１３、４３、５３  保持層
４、１４、２４、３４、４４、５４  センサー
５  成形型
【図１】
2015040899.tif 000003
【図２】
2015040899.tif 000004
【図３】
2015040899.tif 000005
【図４】
2015040899.tif 000006
【図５】
2015040899.tif 000007
【図６Ａ】
2015040899.tif 000008
【図６Ｂ】
2015040899.tif 000009
【図７】
2015040899.tif 000010